(57)【特許請求の範囲】
【請求項１】
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記外装シートの外面における前記左立体ギャザー及び右立体ギャザーの各取付部分と対応する部位を、側方に移動させた状態で着脱自在に固定する前開き固定手段を備えた、ことを特徴とする男性用吸収性物品。
【請求項２】
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記左立体ギャザー及び右立体ギャザーの後部が臀裂対向部まで延在されている、ことを特徴とする男性用吸収性物品。
【請求項３】
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記吸収要素は、少なくとも前記左立体ギャザーの自由部分と前記右立体ギャザーの自由部分とが重なる領域の下側に隣接する部分及び左右両側に隣接する部分を覆うように設けられている、ことを特徴とする男性用吸収性物品。
【発明の詳細な説明】
【技術分野】
【０００１】
本発明は、特に男性の軽失禁用に適した男性用吸収性物品に関するものである。
【背景技術】
【０００２】
近時、男性の軽失禁用に適するものとして、特許文献１に示されるように、外装シートにおける吸収体の前端部よりも前側に幅方向に沿うスリット状の前開きを有するパンツ型吸収性物品が提案されている。
【０００３】
しかしながら、この従来のパンツ型吸収性物品では、前開きの位置が高すぎ、陰茎を取り出すのが困難であるという問題点があった。この問題点は、前開きの位置を股間側に寄せることで解決できるが、その場合、前開きが不用意に開いて漏れのおそれがある。
【先行技術文献】
【特許文献】
【０００４】
【特許文献１】特開２００７−３３０５４５３号公報
【発明の概要】
【発明が解決しようとする課題】
【０００５】
そこで本発明の主たる課題は、陰茎の出し入れ容易性及び前開きからの尿漏出防止性を両立させることにある。
【課題を解決するための手段】
【０００６】
【０００７】
【０００８】
＜請求項１記載の発明＞
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記外装シートの外面における前記左立体ギャザー及び右立体ギャザーの各取付部分と対応する部位を、側方に移動させた状態で着脱自在に固定する前開き固定手段を備えた、ことを特徴とする男性用吸収性物品。
【０００９】
（作用効果）
本発明では、外装シートの陰茎挿通部の内側に、左右立体ギャザーが互いの隣接部分が重なるように配置されており、これら陰茎挿通部及び左右立体ギャザーにより開閉可能な前開きが構成されている。すなわち、装着中には、左右立体ギャザーの各細長状弾性伸縮部材の収縮により左右立体ギャザーの重なりが維持され、前開きが閉じた状態となる。よって、陰茎挿通部が陰茎対向部に配置されていても、左右立体ギャザーにより前開きが閉じられているため、軽失禁であれば直接的な漏れ出しは防止することができる。一方、排尿に際して陰茎を取り出す際には、陰茎挿通部から指を入れ、細長状弾性伸縮部材により収縮した左右立体ギャザーを左右に引き伸ばすことで、前開きを開くことができ、陰茎を収納する際には左右立体ギャザーの左右への引き伸ばしを解除するだけで、細長状弾性伸縮部材により左右立体ギャザーが収縮して互いに重なる位置まで自動的に復帰し、前開きが閉じるようになる。しかも、陰茎挿通部は陰茎対向部に設けられている。よって、陰茎の出し入れも極めて容易となる。
さらに、このような前開き固定手段を設けることにより、物品の外側から前開きを開いた状態で固定することができ、陰茎の出し入れの容易性が更に向上する。
【００１０】
＜請求項２記載の発明＞
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記左立体ギャザー及び右立体ギャザーの後部が臀裂対向部まで延在されている、ことを特徴とする男性用吸収性物品。
【００１１】
（作用効果）
本発明では、外装シートの陰茎挿通部の内側に、左右立体ギャザーが互いの隣接部分が重なるように配置されており、これら陰茎挿通部及び左右立体ギャザーにより開閉可能な前開きが構成されている。すなわち、装着中には、左右立体ギャザーの各細長状弾性伸縮部材の収縮により左右立体ギャザーの重なりが維持され、前開きが閉じた状態となる。よって、陰茎挿通部が陰茎対向部に配置されていても、左右立体ギャザーにより前開きが閉じられているため、軽失禁であれば直接的な漏れ出しは防止することができる。一方、排尿に際して陰茎を取り出す際には、陰茎挿通部から指を入れ、細長状弾性伸縮部材により収縮した左右立体ギャザーを左右に引き伸ばすことで、前開きを開くことができ、陰茎を収納する際には左右立体ギャザーの左右への引き伸ばしを解除するだけで、細長状弾性伸縮部材により左右立体ギャザーが収縮して互いに重なる位置まで自動的に復帰し、前開きが閉じるようになる。しかも、陰茎挿通部は陰茎対向部に設けられている。よって、陰茎の出し入れも極めて容易となる。
さらに、左立体ギャザー及び右立体ギャザーの各細長状弾性伸縮部材の収縮力を利用して股間部から臀裂対向部を持ち上げるように作用させ、股間から臀裂に対するフィット性を向上させることができる。
【００１２】
＜請求項３記載の発明＞
腹側部分、背側部分、およびこれらの間に位置する股下部分を有する外装シートと、
この外装シートにおける陰茎対向部に設けられた陰茎挿通部と、
前記外装シートの内面における前記陰茎挿通部の左側に固定された取付部分と、この取付部分から陰茎挿通部の右側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する左立体ギャザーと、
前記外装シートの内面における前記陰茎挿通部の右側に固定された取付部分と、この取付部分から陰茎挿通部の左側に向かって幅方向に延在するとともに、陰茎挿通部の前後両側まで前後方向に延在する本体部分と、この本体部分のうち、陰茎挿通部の前後両側が倒伏状態で固定されて形成された倒伏部分と、前後の倒伏部分の間に位置する中間部が非固定とされて形成された自由部分と、この自由部分の少なくとも先端部に前後方向に沿って固定された細長状弾性伸縮部材と、を有する右立体ギャザーと、を備え、
前記右立体ギャザーの本体部分における左側部と、前記左立体ギャザーの本体部分における右側部とが重なるように、前記右立体ギャザー及び左立体ギャザーが配置されており、
前記立体ギャザーよりも内側における前記陰茎挿通部を除く部位に、尿を吸収保持する吸収要素が設けられており、
前記吸収要素は、少なくとも前記左立体ギャザーの自由部分と前記右立体ギャザーの自由部分とが重なる領域の下側に隣接する部分及び左右両側に隣接する部分を覆うように設けられている、ことを特徴とする男性用吸収性物品。
【００１３】
（作用効果）
本発明では、外装シートの陰茎挿通部の内側に、左右立体ギャザーが互いの隣接部分が重なるように配置されており、これら陰茎挿通部及び左右立体ギャザーにより開閉可能な前開きが構成されている。すなわち、装着中には、左右立体ギャザーの各細長状弾性伸縮部材の収縮により左右立体ギャザーの重なりが維持され、前開きが閉じた状態となる。よって、陰茎挿通部が陰茎対向部に配置されていても、左右立体ギャザーにより前開きが閉じられているため、軽失禁であれば直接的な漏れ出しは防止することができる。一方、排尿に際して陰茎を取り出す際には、陰茎挿通部から指を入れ、細長状弾性伸縮部材により収縮した左右立体ギャザーを左右に引き伸ばすことで、前開きを開くことができ、陰茎を収納する際には左右立体ギャザーの左右への引き伸ばしを解除するだけで、細長状弾性伸縮部材により左右立体ギャザーが収縮して互いに重なる位置まで自動的に復帰し、前開きが閉じるようになる。しかも、陰茎挿通部は陰茎対向部に設けられている。よって、陰茎の出し入れも極めて容易となる。
さらに、このように左右立体ギャザーが開く部分の左右に隣接する部分及び下側に隣接する部分を覆うように吸収要素を設けることにより、左右立体ギャザーで遮断した尿を吸収要素で速やかに吸収することができる。
【発明の効果】
【００１４】
以上のとおり、本発明によれば、陰茎の出し入れ容易性及び前開きからの尿漏出防止性を両立させることができる、等の利点がもたらされる。
【図面の簡単な説明】
【００１５】
【図１】男性用吸収性物品の展開状態の内面側を示す平面図である。
【図２】男性用吸収性物品の展開状態の外面側を示す平面図である。
【図３】吸収要素を取り外した男性用吸収性物品の展開状態の内面側を示す平面図である。
【図４】図１の４−４断面図である。
【図５】（ａ）図１の１−１断面図、（ｂ）図１の２−２断面図、（ｃ）図１の３−３断面図である。
【図６】前開きを閉じた装着状態の正面図である。
【図７】前開きを開いた装着状態の正面図である。
【図８】前開きを開いた装着状態の平面図である。
【発明を実施するための形態】
【００１６】
以下、本発明の一実施形態について添付図面を参照しつつ詳説する。
図１及び図２に示すように、本実施形態の男性用吸収性物品１（以下、単に物品ともいう。）は、腹側部分Ｆ、背側部分Ｂ、およびこれらの間に位置する股下部分を有する外装シート２０と、この外装シート２０における陰茎対向部に設けられた陰茎挿通部２７と、この陰茎挿通部２７を開閉可能に覆う左立体ギャザー３０及び右立体ギャザー４０と、外装シート２０の内側における陰茎挿通部２７を除く部位に設けられた、尿を吸収保持する吸収要素１０とを備えたものである。各部の素材の固定は、ホットメルト接着剤のベタ塗布、ビード塗布、スパイラル塗布等により行うことができ、この固定部分は断面図においては点模様で示されている。
【００１７】
（外装シート）
外装シート２０における腹側部分の両側縁部２１及び背側部分の両側縁部２２は、ヒートシールや超音波シール等の手段によりそれぞれ接合されており、これによって、図６に示すように、ウエスト開口部ＷＯ及び左右一対のレッグ開口部ＬＯが形成されている。これは予めパンツ形状に形成されたパンツタイプ製品であるが、装着の際又は予め腹側部分と背側部分とがメカニカルファスナー（面ファスナー）や粘着剤等の連結手段により着脱可能に連結されるタイプの製品とすることもできる。
【００１８】
外装シート２０は、図４及び図５に示されるように、内側不織布２０Ａ及び外側不織布２０Ｂからなる２層構造の不織布シートとされ、内側不織布２０Ａと外側不織布２０Ｂとの間に各種弾性伸縮部材が配設され、伸縮性が付与されている。平面形状は、中間両側部に夫々脚部開口を形成するために形成された凹状の脚回りカットライン２９により、全体としてほぼ砂時計形状をなしている。
【００１９】
特に、図示形態の外装シート２０においては、図１に示される展開形状において、ウエスト開口部回り２３に配置されたウエスト部弾性伸縮部材２４，２４…と、腹側部分Ｆ及び背側部分Ｂに、上下方向に間隔をおいて水平方向に沿って配置された複数の腰回り弾性伸縮部材群２５，２５…とを有するとともに、腹側部分Ｆ及び背側部分Ｂのそれぞれにおいて、腰回り弾性伸縮部材群２５，２５…とは別に、腹側部分Ｆと背側部分Ｂとを接合する一方側接合縁から股下側に延び、股下側を迂回して腹側部分と背側部分との他方側接合縁に到達するとともに、互いに交差することなく間隔をおいて配置された複数本の湾曲弾性伸縮部材群２６…、２８…を備えている。なお、本外装シート２０では、脚回りカットライン２９に沿って実質的に連続する、所謂脚回り弾性伸縮部材は設けられていない。
【００２０】
ウエスト部弾性伸縮部材２４，２４…は、腹側部分Ｆと背側部分Ｂとが接合された脇部接合縁２１，２２の範囲の内、ウエスト開口縁近傍に上下方向に間隔をおいて配設された複数条の糸ゴム状弾性伸縮部材であり、身体のウエスト部回りを締め付けるように伸縮力を与えることにより吸収性物品を身体に装着するためのものである。このウエスト部弾性伸縮部材２４は、図示例では糸ゴムを用いたが、例えばテープ状の伸縮部材を用いてもよい。
【００２１】
腰回り弾性伸縮部材群２５，２５…は、脇部接合縁２１、２２の内、概ね上部から下部までの範囲に亘り、上下方向に間隔をおいて水平方向に沿って配設された糸ゴム状の弾性伸縮部材であり、腹側部分Ｆ及び背側部分Ｂの腰回り部分に夫々水平方向の伸縮力を与え、吸収性物品を身体に密着させるためのものである。なお、ウエスト部弾性伸縮部材２４、２４…と腰回り弾性伸縮部材群２５、２５…との境界は必ずしも明確でなくてよい。例えば、腹側部分Ｆ及び背側部分Ｂに上下方向に間隔をおいて水平方向に配置された弾性伸縮部材の内、数は特定できなくても、上部側の何本かがウエスト部弾性伸縮部材として機能し、残りの弾性伸縮部材が腰回り弾性伸縮部材として機能していればよい。
【００２２】
背側部分Ｂにおいて、腰回り弾性伸縮部材群２５，２５…とは別に配設された背側湾曲弾性伸縮部材群２６，２６…は、所定の（一方側の脇部接合縁２２からほぼ脚回りカットライン２９に沿って股下部に至り、股下部を横切った後に反対側の脚回りカットライン２９にほぼ沿いながら他方側の脇部接合縁２２に到達する）曲線に沿って配置された複数本、図示例では９本の糸ゴム状弾性伸縮部材であり、これら背側湾曲弾性伸縮部材群２６，２６…は互いに交差することなく、間隔をおいて配置されている。この背側湾曲弾性伸縮部材群２６，２６…は、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００２３】
外装シート２０の腹側部分Ｆにおいて、腰回り弾性伸縮部材群２５，２５…とは別に配設された腹側湾曲弾性伸縮部材群２８，２８…も、所定の（一方側の脇部接合縁２１から股下側に至り、股下部を横切った後に他方側の脇部接合縁２１に到達する）曲線とともに、交差することなく間隔をおいて配置された複数本の、図示例では９本の糸状弾性伸縮部材であり、これら腹側湾曲弾性伸縮部材群２８，２８…は、互いに交差することなく、間隔をおいて配置されている。この腹側湾曲弾性伸縮部材群２８，２８…も、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００２４】
また、上記形態例では、腹側部分Ｆ及び背側部分Ｂに配置された腰回り弾性伸縮部材群２５，２５…及び湾曲弾性伸縮部材２６…、２８…は、幅方向中央部を切断することにより不連続としているが、連続させて配置することもできる。
【００２５】
（陰茎挿通部）
外装シート２０に設けられる陰茎挿通部２７の位置は、陰茎対向部であれば特に限定はないが、通常の場合、腹側部分Ｆのウエスト縁の位置を０％とし、背側部分Ｂのウエスト縁の位置を１００％としたとき、２０〜４０％の範囲内とすることができる。また、陰茎挿通部２７は、図示形態のように縦方向に沿うスリット状とする他、横方向に沿うスリット状としたり、十字状の切り込みとしたり、また、円形や多角形等の打ち抜き孔としたりすることも可能である。
【００２６】
（左右立体ギャザー）
図５にも示すように、左立体ギャザー３０は、外装シート２０の内面における陰茎挿通部２７の左側近傍に固定された取付部分ＦＰと、この取付部分ＦＰから陰茎挿通部２７の右側に向かって幅方向に延在するとともに、陰茎挿通部２７の前後両側まで前後方向に延在する本体部分ＭＰと、この本体部分ＭＰのうち、陰茎挿通部２７の前後両側が倒伏状態で固定されて形成された倒伏部分ＬＰと、前後の倒伏部分ＬＰの間に位置する中間部が非固定とされて形成された自由部分ＧＰと、この自由部分の少なくとも先端部に前後方向に沿って伸長状態で固定された細長状のギャザー弾性伸縮部材ＥＸと、を有するものである。
【００２７】
また、右立体ギャザー４０も、外装シート２０の内面における陰茎挿通部２７の右側近傍に固定された取付部分ＦＰと、この取付部分ＦＰから陰茎挿通部２７の左側に向かって幅方向に延在するとともに、陰茎挿通部２７の前後両側まで前後方向に延在する本体部分ＭＰと、この本体部分ＭＰのうち、陰茎挿通部２７の前後両側が倒伏状態で固定されて形成された倒伏部分ＬＰと、前後の倒伏部分ＬＰの間に位置する中間部が非固定とされて形成された自由部分ＧＰと、この自由部分ＧＰの少なくとも先端部に前後方向に沿って伸長状態で固定されたギャザー弾性伸縮部材ＥＸと、を有するものである。
【００２８】
そして、特徴的には右立体ギャザー４０の本体部分ＭＰにおける左側部と、左立体ギャザー３０の本体部分ＭＰにおける右側部とが重なるように、右立体ギャザー４０及び左立体ギャザー３０が配置されている。左右立体ギャザー３０，４０のいずれが肌側に配置されても良いが、図示形態では右立体ギャザー４０が肌側に配置されている（いわゆる左前の合わせ方である）。このように、外装シート２０の陰茎挿通部２７の内側に、左右立体ギャザー３０，４０が互いの隣接部分が重なるように配置されていることにより、陰茎挿通部２７及び左右立体ギャザー３０，４０により開閉可能な前開きシャッターが構成される。
【００２９】
各部の寸法は適宜定めれば良いが、通常の場合、左右立体ギャザー３０，４０の取付部分ＦＰの幅は、５〜２０ｍｍ程度とすることができ、また、本体部分ＭＰの幅は１０〜５０ｍｍ程度とすることができる。さらに、ギャザー弾性伸縮部材ＥＸは、一本のみとすることもできるが、間隔を空けて複数本設けることもでき、後者の場合、自由部分ＧＰの先端部の他に、自由部分ＧＰの基端部に追加するのが好ましい。
【００３０】
左右立体ギャザー３０，４０は液不透過性のものが好ましく、特に肌触りの観点から不織布が好適である。不織布としては、ポリエチレンまたはポリプロピレン等のオレフィン系、ポリエステル系、アミド系等の合成繊維の他、レーヨンやキュプラ等の再生繊維、綿等の天然繊維を構成繊維とし、スパンボンド法、サーマルボンド法、メルトブローン法、ニードルパンチ法等の適宜の加工方法に得られた不織布を用いることができる。また、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３１】
ギャザー弾性伸縮部材ＥＸとしては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、固定時の伸長率（自然長を１００％としたとき）は１５０〜３５０％、間隔は７．０ｍｍ以下として配設するのがよい。なお、ある程度の幅を有するテープ状弾性伸縮部材を用いるようにしてもよい。
【００３２】
装着中には、図５（ａ）及び図６に示すように、左右立体ギャザー３０，４０の各細長状弾性伸縮部材の収縮により左右立体ギャザー３０，４０の重なりが維持され、前開きが閉じた状態となる。よって、陰茎挿通部２７が陰茎対向部に配置されていても、左右立体ギャザー３０，４０により前開きが閉じられているため、軽失禁であれば直接的な漏れ出しは防止することができる。一方、排尿に際して陰茎ＰＥを取り出す際には、図７及び図８に示すように、陰茎挿通部２７から指を入れ、ギャザー弾性伸縮部材ＥＸにより収縮した左右立体ギャザー３０，４０を左右に引き伸ばすことで、前開きを開くことができ、陰茎ＰＥを収納する際には左右立体ギャザー３０，４０の左右への引き伸ばしを解除するだけで、ギャザー弾性伸縮部材ＥＸにより左右立体ギャザー３０，４０が収縮して互いに重なる位置まで自動的に復帰し、前開きが閉じるようになる。しかも、陰茎挿通部２７は陰茎対向部に設けられているため、陰茎ＰＥの出し入れも極めて容易となる。
【００３３】
なお、左右立体ギャザー３０，４０の後部は陰茎対向部の後側近傍までとしても良いが、図示例のように臀裂対向部まで延在されていると、左立体ギャザー３０及び右立体ギャザー４０の各ギャザー弾性伸縮部材ＥＸの収縮力を利用して股間部から臀裂対向部を持ち上げることができ、股間から臀裂に対するフィット性を向上させることができるため好ましい。
【００３４】
（吸収要素）
外装シート２０内面における陰茎挿通部２７を除く部位には、尿を吸収保持する吸収要素１０が設けられている。吸収要素１０を設ける部位は適宜定めることができるが、軽失禁用であれば、図示例のように陰茎対向部より若干広い範囲をカバーするだけでも十分である。ただし、左右立体ギャザー３０，４０で遮断した尿を吸収要素１０で速やかに吸収するために、図示例のように、少なくとも左立体ギャザー３０の自由部分ＧＰと右立体ギャザー４０の自由部分ＧＰとが重なる領域の下側近傍及び左右両側近傍を覆うように、つまりほぼＵ字状に設けられていると好ましい。
【００３５】
吸収要素の構造は適宜定めることができるが、軽失禁用であれば、図示例のように吸収体１３を透液性シート１１で包んだだけのもでも良い。もちろん、おむつのように吸収体１３の外側を不透液性シート（図示略）で覆うこともできる。
【００３６】
吸収要素１０の裏面は、その全体を外装シート２０及び左右立体ギャザー３０，４０に対して固定することもできるが、図１に固定領域１４を斜線で示すように左右立体ギャザー３０，４０のみに対して固定する構造とすることにより、陰茎周囲の装着感を柔軟なものとすることができる。
【００３７】
透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。
【００３８】
吸収体１３は、フラッフ状パルプと吸水ポリマーとを混合し成形してなるものの他、親水性不織布等の薄い吸水シートを好適に用いることができる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。もちろんこれ以外の公知の吸収体も採用することができる。また、吸収体１３は、形状及びポリマー保持等のため、必要に応じてクレープ紙等の透液性包装シート（図示略）によって包装することができる。
【００３９】
不透液性シートとしては、ポリエチレンまたはポリプロピレンなどの不透液性プラスチックシート、中でもポリエチレンやポリプロピレン等のオレフィン樹脂中に無機充填材を溶融混練してシートを形成した後、一軸または二軸方向に延伸することにより得られる微多孔性シートが好適である。
【００４０】
（前開き固定手段）
上述の前開きは、左右立体ギャザー３０，４０の収縮力が作用して閉状態となっており、また周囲の吸収要素１０の剛性もあり、更に漏れ防止の観点から前開きの寸法を出来る限り小さくする方が好ましいこともあって、開いた状態を維持するのにある程度の力を要する。よって、図示形態のように、外装シート２０における左立体ギャザー３０及び右立体ギャザー４０の各取付部分を、側方に移動させた状態で着脱自在に固定する前開き固定手段５０を設け、物品の外側から前開きを開いた状態で固定できるようにするのが好ましい。
【００４１】
このような前開き固定手段５０は、特に限定されずボタンやフック等でも良いが、この種の分野で汎用されているメカニカルファスナー（面ファスナー）のフック材（雄材）や粘着剤を好適に用いることができる。
【００４２】
また、フック材や粘着剤等の外装シート２０外面に係止可能な係止部は、外装シート２０の外面における左立体ギャザー３０及び右立体ギャザー４０の各取付部分と対応する部位に直に設けても良いが、図示形態のように、外装シート２０の外面における左立体ギャザー３０及び右立体ギャザー４０の各取付部分と対応する部位の外面に幅方向に延在するテープ５１の基端部を固定し、先端部の内面に係止部５２を設けると、このテープ５１を指で摘まんで引っ張り、先端部の係止部５２を外装シート２０の外面に係止することにより、前開きを開いて固定することができ、開閉操作性を向上させることができる。
【産業上の利用可能性】
【００４３】
本発明は、男性用吸収性物品に適用できるものである。
【符号の説明】
【００４４】
１…吸収性物品、１０…吸収要素、１１…透液性表面シート、１３…吸収体、１４…固定領域、２０…外装シート、２１・２２…脇部接合縁、２４…ウエスト部弾性伸縮部材、２５…腰回り弾性伸縮部材、２６…背側湾曲弾性伸縮部材、２７…陰茎挿通部、２８…腹側湾曲弾性伸縮部材、２９…脚回りカットライン、３０…左立体ギャザー、４０…右立体ギャザー、３０，４０…左右立体ギャザー、Ｆ…腹側部分、Ｂ…背側部分、５０…前開き固定手段、ＦＰ…取付部分、ＭＰ…本体部分、ＬＰ…倒伏部分、ＥＸ…ギャザー弾性伸縮部材、ＧＰ…自由部分、ＰＥ…陰茎。
【図１】
0006008381.tif 000002
【図２】
0006008381.tif 000003
【図３】
0006008381.tif 000004
【図４】
0006008381.tif 000005
【図５】
0006008381.tif 000006
【図６】
0006008381.tif 000007
【図７】
0006008381.tif 000008
【図８】
0006008381.tif 000009